(57)【要約】【課題】緑化柵を自立させた緑化装置を提供する。【解決手段】緑化装置１０は、プランター収容箱１、架台２、及び、緑化柵３を備える。プランター収容箱１は、収容室１１ｒを有し、収容室１１ｒには、つる植物Ｐｖを植栽した複数のプランター１ｐを収容している。架台２は、台座２１と一対の管状部材２１ｐ・２１ｐを有する。台座２１には、プランター収容箱１を搭載できる。一対の管状部材２１ｐ・２１ｐは、台座２１の両端部から立設し、プランター収容箱１の両端部を貫通できる。緑化柵３は、一対の支柱部材３１ｐ・３１ｐ、一組のバー部材３１ｂ・３１ｂ、及び、複数の登攀棒３１ｃを備える。支柱部材３１ｐは、管状部材２１ｐに挿入できる。バー部材３１ｂ・３１ｂは、水平方向に配置され、支柱部材３１ｐ・３１ｐに接合している。登攀棒３１ｃは、つる植物Ｐｖを登攀自在に略鉛直方向に配置され、バー部材３１ｂ・３１ｂに連結している。【選択図】図１
2018046751.tif 000002
【特許請求の範囲】
【請求項１】
プランターに植栽したつる植物を登攀させた緑化柵を自立自在な緑化装置であって、
上面を開口した収容室を有し、この収容室に一つ以上の前記プランターを収容自在な直方体状のプランター収容箱と、
前記プランター収容箱を搭載自在に複数の金属部材を長方形状に枠組みした台座を有し、前記プランター収容箱の両端部を貫通自在な一対の管状部材を略平行に前記台座の両端部から立設した架台と、を備え、
前記緑化柵は、
下部側を前記管状部材に挿入自在に対向配置した一対の支柱部材と、
略水平方向に配置され、一対の前記支柱部材の上部側を接合した一つ以上のバー部材と、
つる植物を登攀自在に略鉛直方向に配置され、前記バー部材に連結した複数の登攀棒と、を有している、緑化装置。
【請求項２】
前記架台は、底部に複数のキャスタを取り付けている請求項１記載の緑化装置。
【請求項３】
前記管状部材は、前記支柱部材の高さを段階的に変化自在に当該支柱部材と連結している、請求項１又は２記載の緑化装置。
【請求項４】
前記プランター収容箱は、
前記管状部材に取り付けた高さ調整ねじを操作自在に側面から開口した逆Ｙ字状の溝部と、
当該プランター収容箱の側面と略面一の状態で前記溝部に嵌合し、前記管状部材を覆う逆Ｙ字状のカバー部材と、を有している、請求項１から３のいずれかに記載の緑化装置。
【請求項５】
前記登攀棒は、保護キャップを上端部に取り付けている、請求項１から４のいずれかに記載の緑化装置。
【発明の詳細な説明】
【技術分野】
【０００１】
本発明は、緑化装置に関する。特に、プランターに植栽したつる植物を登攀させた緑化柵を形成した緑化装置であって、緑化柵を建物の内部の日除け又は仕切りとして利用することで、直射日光から建物の内部を遮蔽すると共に、建物の内部の景観を向上できる自立式の緑化装置の構造に関する。
【背景技術】
【０００２】
近年では、建物の外壁に植物を植える壁面緑化がヒートアイランド現象の緩和及び省エネルギー化に役立つとして、注目されている。壁面緑化には、登攀式、下垂式、補助材式、又は、ユニット式などの様々な工法が提案又は実施されている。
【０００３】
登攀式壁面緑化工法は、壁面などに付着自在な付着根を有するつる植物を壁面に自立登攀させることで、建物の壁面を緑化できる。登攀式壁面緑化工法は、低コストで緑化できるメリットを有しているが、付着根を有する付着性植物に限定されるという制約がある。
【０００４】
下垂式壁面緑化工法は、屋上又はベランダに設置したプランターから植物を壁面に沿って垂らすことで、建物の壁面を緑化できる。補助材式壁面緑化工法は、ワイヤーなどの補助材を用いて、つる植物を登攀又は下垂させることで、建物の壁面を緑化できる。ユニット式壁面緑化工法は、つる植物を誘引・巻付け自在なユニットを用いて、建物の壁面を緑化できる。
【０００５】
一方、プランターに植栽したつる植物を登攀させた緑化柵を形成した緑化装置であって、緑化柵を建物の内部の日除け又は仕切り（パーテーション）として利用することで、直射日光から建物の内部を遮蔽すると共に、建物の内部の景観を向上できる移動式の緑化装置が開示されている（例えば、特許文献１参照）。
【先行技術文献】
【特許文献】
【０００６】
【特許文献１】特開２０１５−１１２１００号公報
【発明の概要】
【発明が解決しようとする課題】
【０００７】
図１２は、従来技術による移動式の緑化装置の構成を示す斜視図である。なお、本願の図１２は、特許文献１の図１に相当している。図１２を参照すると、従来技術による移動式の緑化装置９は、ワゴンタイプの架台９１と一組の栽培槽９２・９３を備えている。又、緑化装置９は、緑化柵９４を備えている。
【０００８】
図１２を参照すると、架台９１は、複数のパイプ部材を連結して骨組みしている。架台９１を構成する四本の主柱材９１ｍの底部には、キャスタ９１ｃを取り付けている。一方の栽培槽９２は、架台９１の下段の棚に設置されている。他方の栽培槽９３は、架台９１の上段の棚に設置されている。
【０００９】
図１２を参照すると、下段の栽培槽９２には、液肥を収容している。下段の栽培槽９２には、水耕栽培に適したシダ類などの草花、又はイチゴなどの果物からなる水耕用植物Ｐｈを栽培している。上段の栽培槽９３には、つる植物Ｐｖを植栽している。
【００１０】
図１２を参照すると、下段の栽培槽９２と上段の栽培槽９３は、それらの一方の端部を給水連結管９１１で接続している。又、下段の栽培槽９２と上段の栽培槽９３は、それらの他方の端部を排水連結管９１２で接続している。
【００１１】
図１２を参照すると、下段の栽培槽９２には、図示しない水中ポンプを内部に設置している。この水中ポンプを稼働することで、給水連結管９１１を介して、下段の栽培槽９２に収容された液肥を上段の栽培槽９３に供給できる。
【００１２】
図１２を参照すると、上段の栽培槽９３には、図示しない導水管を底部に設置している。この導水管は、その一端部が給水連結管９１１に接続している。又、この導水管は、多数の供給孔を外周に開口している。これにより、下段の栽培槽９２から供給された液肥を上段の栽培槽９３に供給できる。一方、上段の栽培槽９３に収容された過剰の液肥は、排水連結管９１２を介して、下段の栽培槽９２へと循環している。
【００１３】
図１２を参照すると、緑化柵９４は、一対の伸縮ロッド９４ｓ・９４ｓとこれらの伸縮ロッド９４ｓ・９４ｓを架橋した格子状の仕切り部材９４ｐで構成している。一対の伸縮ロッド９４ｓ・９４ｓは、それらの底部を一方の一対の主柱材９１ｍ・９１ｍに設置している。又、一対の伸縮ロッド９４ｓ・９４ｓは、それらの上部に取り付けたアジャスタ９４ｊ・９４ｊを天井Ｒｆに押し付けることで、緑化柵９４を固定している。
【００１４】
図１２を参照すると、仕切り部材９４ｐには、つる植物Ｐｖを登攀させている。特許文献１による緑化装置９は、つる植物Ｐｖを登攀させた緑化柵９４を窓Ｗと対向配置することで、直射日光から室内を遮蔽できる、としている。又、特許文献１による緑化装置９は、つる植物Ｐｖ及び水耕用植物Ｐｈを植栽した栽培槽を室内に設置することで、二酸化炭素をこれらの植物が吸収でき、酸素を供給できる、としている。
【００１５】
しかしながら、従来技術による緑化装置９は、一対のアジャスタ９４ｊ・９４ｊを弛めることで移動できるが、緑化柵９４を設置した状態では、その重心が高いので、転倒する心配がある。又、天井Ｒｆが高い場合には、緑化柵９４を固定することが困難になるという問題がある。
【００１６】
移動中の転倒を防止できると共に、天井の高低に係らず、つる植物を登攀させた緑化柵を自立させた移動式の緑化装置が求められている。そして、以上のことが本発明の課題といってよい。
【００１７】
本発明は、このような課題に鑑みてなされたものであり、プランターに植栽したつる植物を登攀させた緑化柵を形成した緑化装置であって、緑化柵の移動中の転倒を防止でき、緑化柵を自立させた緑化装置を提供することを目的とする。
【課題を解決するための手段】
【００１８】
本発明者らは、つる植物を植栽したプランターを収容した直方体状のプランター収容箱と、プランター収容箱を設置し、プランター収容箱の両端部を貫通自在な一対の管状部材を両端部から立設した架台と、一対の支柱部材を一対の管状部材に差し込んで自立させ、つる植物を登攀自在な複数の登攀棒を有する緑化柵で緑化装置を構成し、プランター収容箱の自重で緑化柵の転倒を防止できると考え、これに基づいて、以下のような新たな緑化装置を発明するに至った。
【００１９】
（１）本発明による緑化装置は、プランターに植栽したつる植物を登攀させた緑化柵を自立自在な緑化装置であって、上面を開口した収容室を有し、この収容室に一つ以上の前記プランターを収容自在な直方体状のプランター収容箱と、前記プランター収容箱を搭載自在に複数の金属部材を長方形状に枠組みした台座を有し、前記プランター収容箱の両端部を貫通自在な一対の管状部材を略平行に前記台座の両端部から立設した架台と、を備え、前記緑化柵は、下部側を前記管状部材に挿入自在に対向配置した一対の支柱部材と、略水平方向に配置され、一対の前記支柱部材の上部側を接合した一つ以上のバー部材と、つる植物を登攀自在に略鉛直方向に配置され、前記バー部材に連結した複数の登攀棒と、を有している。
【００２０】
（２）前記架台は、底部に複数のキャスタを取り付けていることが好ましい。
【００２１】
（３）前記管状部材は、前記支柱部材の高さを段階的に変化自在に当該支柱部材と連結していることが好ましい。
【００２２】
（４）前記プランター収容箱は、前記管状部材に取り付けた高さ調整ねじを操作自在に側面から開口した逆Ｙ字状の溝部と、当該プランター収容箱の側面と略面一の状態で前記溝部に嵌合し、前記管状部材を覆う逆Ｙ字状のカバー部材と、を有していることが好ましい。
【００２３】
（５）前記登攀棒は、保護キャップを上端部に取り付けていることが好ましい。
【発明の効果】
【００２４】
本発明による緑化装置は、つる植物を植栽したプランターを収容した直方体状のプランター収容箱と、プランター収容箱を設置し、プランター収容箱の両端部を貫通自在な一対の管状部材を両端部から立設した架台と、一対の支柱部材を一対の管状部材に差し込んで自立させ、つる植物を登攀自在な複数の登攀棒を有する緑化柵と、を備え、プランター収容箱の自重で緑化柵の転倒を防止できる。
【図面の簡単な説明】
【００２５】
【図１】本発明の一実施形態による緑化装置の構成を示す斜視図であり、つる植物を登攀させた緑化柵をプランター収容箱に自立させた状態図である。
【図２】前記実施形態による緑化装置の構成を示す斜視図である。
【図３】前記実施形態による緑化装置の構成を示す図であり、図３（Ａ）は、緑化装置の平面図、図３（Ｂ）は、緑化装置の正面図である。
【図４】前記実施形態による緑化装置の構成を示す図であり、図４（Ａ）は、図３（Ｂ）のＢ−Ｂ矢視断面図、図４（Ｂ）は、緑化装置の左側面図である。
【図５】前記実施形態による緑化装置の構成を示す縦断面図であり、プランター収容箱の長手方向に沿って、緑化装置の中央部を断面で示した状態図である。
【図６】前記実施形態による緑化装置の構成を示す平面図であり、図５のＦ−Ｆ矢視断面図である。
【図７】前記実施形態による緑化装置の構成を示す縦断面図であり、図７（Ａ）は、図５のＥ−Ｅ矢視断面図、図７（Ｂ）は、図５のＤ−Ｄ矢視断面図である。
【図８】前記実施形態による緑化装置の構成を示す斜視分解組立図である。
【図９】前記実施形態による緑化装置に備わるプランター収容箱の構成を示す斜視図である。
【図１０】前記実施形態による緑化装置に備わる架台の構成を示す斜視図である。
【図１１】前記実施形態による緑化装置に備わる緑化柵の構成を示す斜視図である。
【図１２】従来技術による移動式の緑化装置の構成を示す斜視図である。
【発明を実施するための形態】
【００２６】
以下、図面を参照して本発明を実施するための形態を説明する。
［緑化装置の構成］
最初に、本発明の一実施形態による緑化装置の構成を説明する。
【００２７】
図１は、本発明の一実施形態による緑化装置の構成を示す斜視図であり、つる植物を登攀させた緑化柵をプランター収容箱に自立させた状態図である。図２は、前記実施形態による緑化装置の構成を示す斜視図である。
【００２８】
図３は、前記実施形態による緑化装置の構成を示す図であり、図３（Ａ）は、緑化装置の平面図、図３（Ｂ）は、緑化装置の正面図である。図４は、前記実施形態による緑化装置の構成を示す図であり、図４（Ａ）は、図３（Ｂ）のＢ−Ｂ矢視断面図、図４（Ｂ）は、緑化装置の左側面図である。
【００２９】
図５は、前記実施形態による緑化装置の構成を示す縦断面図であり、プランター収容箱の長手方向に沿って、緑化装置の中央部を断面で示した状態図である。図６は、前記実施形態による緑化装置の構成を示す平面図であり、図５のＦ−Ｆ矢視断面図である。
【００３０】
図７は、前記実施形態による緑化装置の構成を示す縦断面図であり、図７（Ａ）は、図５のＥ−Ｅ矢視断面図、図７（Ｂ）は、図５のＤ−Ｄ矢視断面図である。図８は、前記実施形態による緑化装置の構成を示す斜視分解組立図である。
【００３１】
（全体構成）
次に、本発明の一実施形態による緑化装置の全体構成を説明する。図１から図８を参照すると、本発明の一実施形態による緑化装置１０は、直方体状のプランター収容箱１、架台２、及び、緑化柵３を備えている。
【００３２】
図１から図８を参照すると、プランター収容箱１は、上面を開口した収容室１１ｒを有している（図４（Ｂ）又は図参照）。収容室１１ｒには、二つのプランター１ｐ・１ｐを収容している（図５又は図６参照）。図１から図６に示した実施形態では、二つのプランター１ｐ・１ｐをプランター収容箱１の長手方向に連設している。
【００３３】
図１又は図６を参照すると、プランター１ｐには、つる植物Ｐｖを植栽している。実施形態では、土壌を収容した円筒状のポット１１ｐにつる植物Ｐｖを植栽し、複数のポット１１ｐをプランター１ｐに収容している（図３（Ａ）又は図８参照）。プランター１ｐ及びポット１１ｐは、市販品を使用することもできる。
【００３４】
図８又は図１０を参照すると、架台２は、台座２１と一対の管状部材２１ｐ・２１ｐを有している。台座２１は、複数の金属部材を互いに接合して、長方形状に枠組みしている。台座２１には、プランター収容箱１を搭載できる。又、一対の管状部材２１ｐ・２１ｐは、台座２１の両端部から立設している。
【００３５】
図８又は図１０を参照すると、一対の管状部材２１ｐ・２１ｐは、略平行に配置されている。又、一対の管状部材２１ｐ・２１ｐは、プランター収容箱１の両端部を貫通している（図１から図３又は図５参照）。
【００３６】
図１から図３又は図５を参照すると、緑化柵３は、一対の支柱部材３１ｐ・３１ｐ、一組のバー部材３１ｂ・３１ｂ、及び、複数の登攀棒３１ｃを備えている。一対の支柱部材３１ｐは、対向配置されている。支柱部材３１ｐは、その下端部側を管状部材２１ｐに挿入できる。
【００３７】
図１から図３又は図５を参照すると、一組のバー部材３１ｂ・３１ｂは、それらの両端部を一対の支柱部材３１ｐ・３１ｐの外周に溶接などで接合している。一方のバー部材３１ｂは、一対の支柱部材３１ｐの上端部に接合している。他方のバー部材３１ｂは、一対の支柱部材３１ｐの中間部に接合している。そして、一組のバー部材３１ｂ・３１ｂは、略水平方向に配置されている。
【００３８】
図１から図５を参照すると、登攀棒３１ｃは、棒状の補助部材３１ａを介して、バー部材３１ｂに連結している。補助部材３１ａは、その中間部をバー部材３１ｂに溶接などで接合している。又、補助部材３１ａは、その両端部を一組の登攀棒３１ｃ・３１ｃの外周に溶接などで接合している。一部の補助部材３１ａは、その一端部を支柱部材３１ｐの外周に溶接などで接合している。そして、複数の登攀棒３１ｃは、略平行に略鉛直方向に配置されている。プランター１ｐの上方に複数の登攀棒３１ｃを配置することで、つる植物Ｐｖを登攀棒３１ｃに登攀できる（図１参照）。
【００３９】
図１から図８を参照すると、実施形態による緑化装置１０は、つる植物Ｐｖを植栽したプランター１ｐを収容した直方体状のプランター収容箱１と、プランター収容箱１を設置し、プランター収容箱１の両端部を貫通自在な一対の管状部材２１ｐ・２１ｐを両端部から立設した架台２と、一対の支柱部材３１ｐ・３１ｐを一対の管状部材２１ｐ・２１ｐに差し込んで自立させ、つる植物Ｐｖを登攀自在な複数の登攀棒３１ｃを有する緑化柵３と、を備え、プランター収容箱１の自重で緑化柵３の転倒を防止できる。
【００４０】
引き続き、本発明の一実施形態による緑化装置の構成を説明する。図９は、前記実施形態による緑化装置に備わるプランター収容箱の構成を示す斜視図である。
【００４１】
図１０は、前記実施形態による緑化装置に備わる架台の構成を示す斜視図である。図１１は、前記実施形態による緑化装置に備わる緑化柵の構成を示す斜視図である。
【００４２】
（プランター収容箱の構成）
次に、実施形態によるプランター収容箱１の構成を説明する。図１から図９を参照して、プランター収容箱１は、合成樹脂からなることが好ましく、合成樹脂を成形して、内部に一つ以上のプランター１ｐを収容自在な直方体状のプランター収容箱１を得ることができる。
【００４３】
図４（Ａ）又は図９を参照すると、プランター収容箱１は、上面から窪んだ段部１１ｄを有している。一方、プランター１ｐは、外側に張り出した鍔部１１ｆを上部に形成している（図８参照）。一対の鍔部１１ｆ・１１ｆを段部１１ｄに設置することで、プランター１ｐの底面が収容室１１ｒの底面から所定の距離を設けて、プランター１ｐをプランター収容箱１に配置できる。
【００４４】
図８又は図９を参照すると、プランター収容箱１は、段部１１ｄに連通した複数の逃げ部１１ｅを有している。対向する一対の逃げ部１１ｅ・１１ｅに指を挿入でき、一対の鍔部１１ｆ・１１ｆを把持することで、プランター収容箱１からプランター１ｐを取り出すことができる。
【００４５】
図５から図８を参照すると、プランター収容箱１は、二つの仕切り板１２・１３を備えている。一方の仕切り板１２は、一対のアリガタのレール１２ｒ・１２ｒを両側部に形成している（図６参照）。一方、プランター収容箱１は、一対のレール１２ｒ・１２ｒを案内する一対のアリ溝１２ｓ・１２ｓを内壁に形成している（図９参照）。
【００４６】
図５から図８を参照すると、他方の仕切り板１３は、一対のアリガタのレール１３ｒ・１３ｒを両側部に形成している（図６参照）。一方、プランター収容箱１は、一対のレール１３ｒ・１３ｒを案内する一対のアリ溝１３ｓ・１３ｓを内壁に形成している（図９参照）。
【００４７】
図６又は図９を参照して、二つの仕切り板１２・１３をプランター収容箱１の内部に設置することで、プランター１ｐの鍔部１１ｆを二つの仕切り板１２・１３の上面に設置できる。そして、プランター収容箱１に対して、プランター１ｐの長手方向の移動を規制できる（図５参照）。
【００４８】
図５から図８を参照すると、プランター収容箱１は、水中ポンプ１４ｐ、散水管１４１、及び、水位計１４２を更に備えている。水中ポンプ１４ｐは、プランター収容箱１の底部に設置している（図５又は図７（Ｂ）参照）。水中ポンプ１４ｐの上方は、蓋板１５で覆っている（図５又は図８参照）。
【００４９】
図５から図８を参照すると、散水管１４１は、プランター収容箱１の長手方向に沿って、複数のプランター１ｐの上方に配置されている（図５参照）。散水管１４１は、その一端部を水中ポンプ１４ｐに接続している。又、散水管１４１は、その他端部を閉塞している。更に、散水管１４１は、多数の散水孔を直線部の外周に開口している。
【００５０】
図５又は図７を参照すると、プランター収容箱１は、培養液Ｃｆを内部に貯留している。水中ポンプ１４ｐを駆動すると、培養液Ｃｆを吸引し、培養液Ｃｆを散水管１４１に送出できる。そして、培養液Ｃｆを複数のポット１１ｐに散水できる（図３（Ａ）又は図８参照）。又、余剰の培養液Ｃｆは、プランター収容箱１の底部に循環される。水中ポンプ１４ｐを駆動する時間は、例えば、１日１回５分程度とし、タイマーなどを設置して管理することもできる。
【００５１】
図５又は図７を参照すると、水位計１４２は、一方の仕切り板１２に着脱自在に固定されている。水位計１４２は、その末端部をプランター収容箱１の底面に近接している。水位計１４２は、球状のフロート１４ｆを内部に配置している。培養液Ｃｆの水位に対応して、フロート１４ｆが上下方向に変位することで、培養液Ｃｆの水位を検出できる。
【００５２】
（カバー部材の構成）
図１又は図２及び図４（Ａ）又は図８及び図９を参照すると、プランター収容箱１は、一対の逆Ｙ字状のカバー部材１６・１６を更に備えている。カバー部材１６は、プランター収容箱１の側面Ｓｆに開口した逆Ｙ字状の溝部１６ｄに嵌合できる（図８又は図９参照）。
【００５３】
図４（Ａ）を参照すると、管状部材２１ｐと支柱部材３１ｐは、高さ調整ねじ１６ｓで連結している。後述するように、高さ調整ねじ１６ｓを操作することで、管状部材２１ｐに対して、支柱部材３１ｐの高さを段階的に変化できる。
【００５４】
図９を参照すると、溝部１６ｄは、垂直溝部Ｓｄと一対の水平溝部Ｈｄ・Ｈｄを有している。垂直溝部Ｓｄに対して、一対の水平溝部Ｈｄ・Ｈｄは、略直交している。プランター収容箱１の側面Ｓｆからカバー部材１６を取り外すことで、高さ調整ねじ１６ｓを操作できる。管状部材２１ｐに対して、支柱部材３１ｐの高さを変化した後に、カバー部材１６をプランター収容箱１の側面Ｓｆに取り付けることで、管状部材２１ｐを外面から覆うことができる（図１０参照）。
【００５５】
図１又は図２を参照すると、プランター収容箱１は、カバー部材１６をプランター収容箱１の側面Ｓｆに取り付けた状態では、管状部材２１ｐが露出しないので、外観が優れている。又、カバー部材１６をプランター収容箱１の側面Ｓｆに取り付けた状態では、カバー部材１６は、プランター収容箱１の側面Ｓｆと略面一の状態で溝部１６ｄに嵌合しているので、不要な突起物がなく、安全である。
【００５６】
（架台の構成）
次に、実施形態による架台２の構成を説明する。図８又は図１０を参照すると、台座２１は、長尺の山形鋼からなる一対のチャンネル架２１１・２１１と短尺の山形鋼からなる一対の連結架２１２・２１２を有している。一対のチャンネル架２１１・２１１の両端部には、一対の連結架２１２・２１２の両端部を溶接などで接合している。
【００５７】
図８又は図１０を参照すると、台座２１は、短尺の山形鋼からなる一組の中間架２１３・２１３を更に有している。一組の中間架２１３・２１３は、それらの両端部を一対のチャンネル架２１１・２１１の中間部に溶接などで接合している。一組の中間架２１３・２１３は、台座２１を補強している。
【００５８】
又、図８又は図１０を参照すると、架台２は、台座２１の四隅に四つのキャスタ２ｃを固定している。これにより、架台２に搭載された緑化柵３付きのプランター収容箱１を容易に移動できる。
【００５９】
図８又は図１０を参照すると、管状部材２１ｐは、鋼製の角パイプからなることが好ましく、一方の端縁を連結架２１２の中間部に溶接などで接合している。管状部材２１ｐの他方の端縁は、支柱部材３１ｐを導入可能に開口している。又、管状部材２１ｐは、プランター収容箱１の底部側から溝部１６ｄに挿通できる（図８参照）。
【００６０】
又、図８又は図１０を参照すると、管状部材２１ｐは、山形鋼からなる一組の斜材２１４・２１４で基端部側が補強されている。斜材２１４は、その一端部をチャンネル架２１１の端部に溶接などで接合している。又、斜材２１４は、その他端部を管状部材２１ｐの２１１の基端部側に溶接などで接合している。
【００６１】
図１０を参照すると、管状部材２１ｐは、複数の穴２１ｈを基端部側に開口している。これらの穴２１ｈには、高さ調整ねじ１６ｓを挿通できる（図４（Ｂ）参照）。高さ調整ねじ１６ｓの取り付け位置を変えることで、管状部材２１ｐに対して、支柱部材３１ｐの高さを段階的に変化できる。
【００６２】
（緑化柵の構成）
次に、実施形態による緑化柵３の構成を説明する。図１から図５及び図１１を参照すると、支柱部材３１ｐは、丸パイプからなることが好ましく、複数の穴３１ｈを基端部側に開口している。これらの穴２１ｈには、高さ調整ねじ１６ｓを挿通できる（図４（Ｂ）参照）。高さ調整ねじ１６ｓの取り付け位置を変えることで、管状部材２１ｐに対して、支柱部材３１ｐの高さを段階的に変化できる。
【００６３】
図１から図５及び図１１を参照すると、登攀棒３１ｃは、丸棒からなることが好ましく、プランター１ｐに植栽したつる植物Ｐｖを登攀させることができる（図１参照）。登攀棒３１ｃは、その上端部に保護キャップ３ｃを取り付けることが好ましく、登攀棒３１ｃの上端部に人体などの一部が接触したときに、人体を損傷から保護できる。
【００６４】
図１又は図２及び図１１を参照すると、複数の登攀棒３１ｃは、平面視において、千鳥状（スタッガード）に配列している。これにより、つる植物Ｐｖを登攀させた緑化柵３の美観を向上できる（図１参照）。
【００６５】
［緑化装置の作用］
次に、実施形態による緑化装置１０の作用及び効果を説明する。図１から図１１を参照すると、実施形態による緑化装置１０は、つる植物Ｐｖを植栽したプランター１ｐを収容した直方体状のプランター収容箱１と、プランター収容箱１を設置し、プランター収容箱１の両端部を貫通自在な一対の管状部材２１ｐ・２１ｐを両端部から立設した架台２と、一対の支柱部材３１ｐ・３１ｐを一対の管状部材２１ｐ・２１ｐに差し込んで自立させ、つる植物Ｐｖを登攀自在な複数の登攀棒３１ｃを有する緑化柵３と、を備えているので、プランター収容箱１の自重で緑化柵３の転倒を防止できる。
【００６６】
図８又は図１０を参照すると、架台２は、台座２１の四隅に四つのキャスタ２ｃを固定しているので、架台２に搭載された緑化柵３付きのプランター収容箱１を容易に移動できる。
【００６７】
図１又は図２を参照すると、プランター収容箱１は、カバー部材１６をプランター収容箱１の側面Ｓｆに取り付けた状態では、管状部材２１ｐが露出しないので、外観が優れている。又、カバー部材１６をプランター収容箱１の側面Ｓｆに取り付けた状態では、カバー部材１６は、プランター収容箱１の側面Ｓｆと略面一の状態で溝部１６ｄに嵌合しているので、不要な突起物がなく、安全である。
【００６８】
図１から図５及び図１１を参照すると、登攀棒３１ｃは、その上端部に保護キャップ３ｃを取り付けることが好ましく、登攀棒３１ｃの上端部に人体などの一部が接触したときに、人体を損傷から保護できる。
【００６９】
図１を参照して、緑化装置１０を建物の内部に設置することで、緑化柵３を建物の内部の日除け又は仕切りとして利用でき、直射日光から建物の内部を遮蔽すると共に、建物の内部の景観を向上できる。又、つる植物Ｐｖを登攀させた緑化柵３を室内に設置することで、二酸化炭素をつる植物Ｐｖが吸収でき、酸素を供給できる。
【００７０】
本発明は、建物の内部に設置することが好適な緑化装置を開示したが、本発明による緑化装置は、建物の外部に設置することもでき、緑化柵を窓と対向配置することで、直射日光から建物の内部を遮蔽できる。
【符号の説明】
【００７１】
１  プランター収容箱
１ｐ  プランター
２  架台
３  緑化柵
１０  緑化装置
１１ｒ  収容室
２１  台座
２１ｐ・２１ｐ  一対の管状部材
３１ｂ  バー部材
３１ｃ  登攀棒
３１ｐ・３１ｐ  一対の支柱部材
Ｐｖ  つる植物
【図１】
2018046751.tif 000003
【図２】
2018046751.tif 000004
【図３】
2018046751.tif 000005
【図４】
2018046751.tif 000006
【図５】
2018046751.tif 000007
【図６】
2018046751.tif 000008
【図７】
2018046751.tif 000009
【図８】
2018046751.tif 000010
【図９】
2018046751.tif 000011
【図１０】
2018046751.tif 000012
【図１１】
2018046751.tif 000013
【図１２】
2018046751.tif 000014